(57)【要約】【課題】調査業務を遂行する調査員が、依頼から調査報告に至るまで保持する個人情報を漏洩しないよう構築された、調査業務における個人情報漏洩防止システムを提供する。【解決手段】本発明の調査業務における個人情報漏洩防止システム１は、調査員用携帯型端末２と、調査員用携帯型端末２とネットワーク３を介して通信可能に接続されたセンターサーバ４とを含み、調査員用携帯型端末２は、センターサーバ４が調査報告データを受信すると、依頼データおよび調査報告データを調査員用携帯型端末２内から消去する。このため、調査員は調査依頼書や報告書などを紙で所持することなく調査員用携帯型端末のみを所持して調査業務を遂行できる。また、調査依頼に対する調査報告データをセンターサーバが受信すると、調査員用携帯型端末内より依頼データおよび調査報告データを消去するため、個人情報が調査員用携帯型端末内に蓄積されることがなく個人情報の漏洩を防止できる。【選択図】図１
2007226491.tif 000002
【特許請求の範囲】
【請求項１】
調査業務に際して調査員が入手する個人情報の漏洩を防止する個人情報漏洩防止システムであって、
調査員用携帯型端末と、該調査員用携帯型端末とネットワークを介して通信可能に接続されたセンターサーバとを含んで構成され、
前記調査員用携帯型端末は、前記センターサーバから送信される依頼データを受信する依頼データ受信手段と、依頼データ表示手段と、依頼データ記憶手段と、該依頼データに応じた調査報告データを入力するデータ入力手段と、調査報告データ記憶手段と、入力した調査報告データを前記センターサーバに送信する調査報告データ送信手段と、依頼データおよび調査報告データ消去手段とを有し、
前記センターサーバは、依頼データ入力手段と、依頼データ記憶手段と、前記調査員用携帯型端末へ依頼データを送信する依頼データ送信手段と、前記調査員用携帯型端末から送信される調査報告データを受信する調査報告データ受信手段とを有し、
前記調査員用携帯型端末は、前記センターサーバが調査報告データを受信すると、前記依頼データおよび前記調査報告データを当該調査員用携帯型端末内から消去することを特徴とする調査業務における個人情報漏洩防止システム。
【請求項２】
前記調査員用携帯型端末は、起動不能とするロック手段を有し、
前記センターサーバまたは前記センターサーバを介した起動停止用携帯型端末からの停止信号を受信すると、当該調査員用携帯型端末を起動不能にする請求項１に記載の調査業務における個人情報漏洩防止システム。
【請求項３】
前記調査員用携帯型端末は、前記センターサーバまたは前記センターサーバを介した起動停止用携帯型端末からの停止信号を受信すると、依頼データおよび調査報告データを当該調査員用携帯型端末内から消去する請求項１または２に記載の調査業務における個人情報漏洩防止システム。
【請求項４】
前記調査員用携帯型端末は、パスワード照合手段を有し、
前記データ入力手段から入力されるパスワードを設定パスワードと対比し、両者が合致しない場合は起動不能とする請求項１ないし３のいずれかに記載の調査業務における個人情報漏洩防止システム。
【発明の詳細な説明】
【技術分野】
【０００１】
本発明は、調査業務に際して調査員が入手する個人情報の漏洩を防止できる、調査業務における個人情報漏洩防止システムに関するものである。
【背景技術】
【０００２】
近時、いわゆる個人情報保護法が施行され、個人情報が本人の意に反して漏洩しないよう、個人情報取扱事業者等には組織的安全管理措置を講ずることが要求されている。
ところで、調査業務においては、一般に、調査員は調査依頼元よりある程度の個人情報を入手し、調査の遂行によって詳細な個人情報を入手し、その詳細な個人情報を調査依頼元に調査報告して業務を終了させる。そして、このような一連の調査業務の中で、調査員は、依頼から調査報告に至るまで個人情報を保持しているため、その間に、書類であれば紛失等して個人情報が漏洩するおそれがある。
【発明の開示】
【発明が解決しようとする課題】
【０００３】
そこで、本発明の課題は、調査業務を遂行する調査員が依頼から調査報告に至るまで保持する個人情報を漏洩しないように構築された、調査業務における個人情報漏洩防止システムを提供することにある。
【課題を解決するための手段】
【０００４】
上記課題を解決するものは、調査業務に際して調査員が入手する個人情報の漏洩を防止する個人情報漏洩防止システムであって、調査員用携帯型端末と、該調査員用携帯型端末とネットワークを介して通信可能に接続されたセンターサーバとを含んで構成され、前記調査員用携帯型端末は、前記センターサーバから送信される依頼データを受信する依頼データ受信手段と、依頼データ表示手段と、依頼データ記憶手段と、該依頼データに応じた調査報告データを入力するデータ入力手段と、調査報告データ記憶手段と、入力した調査報告データを前記センターサーバに送信する調査報告データ送信手段と、依頼データおよび調査報告データ消去手段とを有し、前記センターサーバは、依頼データ入力手段と、依頼データ記憶手段と、前記調査員用携帯型端末へ依頼データを送信する依頼データ送信手段と、前記調査員用携帯型端末から送信される調査報告データを受信する調査報告データ受信手段とを有し、前記調査員用携帯型端末は、前記センターサーバが調査報告データを受信すると、前記依頼データおよび前記調査報告データを当該調査員用携帯型端末内から消去することを特徴とする調査業務における個人情報漏洩防止システムである。
【０００５】
前記調査員用携帯型端末は、起動不能とするロック手段を有し、前記センターサーバまたは前記センターサーバを介した起動停止用携帯型端末からの停止信号を受信すると、当該調査員用携帯型端末を起動不能にすることが好ましい。前記調査員用携帯型端末は、前記センターサーバまたは前記センターサーバを介した起動停止用携帯型端末からの停止信号を受信すると、依頼データおよび調査報告データを当該調査員用携帯型端末内から消去することが好ましい。前記調査員用携帯型端末は、パスワード照合手段を有し、前記データ入力手段から入力されるパスワードを設定パスワードと対比し、両者が合致しない場合は起動不能とすることが好ましい。
【発明の効果】
【０００６】
請求項１に記載された発明によれば、調査員が調査依頼書や報告書などの調査関連資料を紙で所持する必要がなく、調査員用携帯型端末のみを所持して調査業務を遂行することができる。また、調査依頼に対する調査報告データをセンターサーバが受信すると、調査員用携帯型端末内より依頼データおよび調査報告データが消去されるため、個人情報が調査員用携帯型端末内に蓄積されることがなく、個人情報の漏洩を防止できる。
請求項２に記載された発明によれば、上記請求項１の効果に加え、調査員が調査員用携帯型端末を紛失等した場合でも、調査員用携帯型端末のアプリケーション起動を不能にするため、個人情報の漏洩を防止できる。
請求項３に記載された発明によれば、上記請求項１または２の効果に加え、調査員が調査員用携帯型端末を紛失等した場合でも、依頼データおよび調査報告データを当該調査員用携帯型端末内から消去することができるため、個人情報の漏洩を防止できる。
請求項４に記載された発明によれば、上記請求項１および２の効果に加え、調査員でない者が調査員用携帯型端末を手にした場合でも、設定されたパスワードを入力しないとアプリケーションが起動不能となるため、調査員用携帯型端末内部に個人情報が存在する場合でも見ることができず個人情報の漏洩を防止できる。
【発明を実施するための最良の形態】
【０００７】
本発明は、調査員用携帯型端末と、調査員用携帯型端末とネットワークを介して通信可能に接続されたセンターサーバとを含んで構成されており、調査業務に際して調査員が入手する個人情報が漏洩しないようにシステム化されたものである。
【実施例１】
【０００８】
具体的には、この実施例の調査業務における個人情報漏洩防止システム１は、調査業務に際して調査員が入手する個人情報の漏洩を防止する個人情報漏洩防止システムであって、調査員用携帯型端末２と、調査員用携帯型端末２とネットワーク３を介して通信可能に接続されたセンターサーバ４とを含んで構成され、調査員用携帯型端末２は、センターサーバ４から送信される依頼データを受信する依頼データ受信手段と、依頼データ表示手段と、依頼データ記憶手段と、依頼データに応じた調査報告データを入力するデータ入力手段と、調査報告データ記憶手段と、入力した調査報告データをセンターサーバ４に送信する調査報告データ送信手段と、依頼データおよび調査報告データ消去手段とを有し、センターサーバ４は、依頼データ入力手段と、依頼データ記憶手段と、調査員用携帯型端末２へ依頼データを送信する依頼データ送信手段と、調査員用携帯型端末２から送信される調査報告データを受信する調査報告データ受信手段とを有し、調査員用携帯型端末２は、センターサーバ４が調査報告データを受信すると、依頼データおよび調査報告データを調査員用携帯型端末２内から消去することを特徴とする調査業務における個人情報漏洩防止システムである。以下、各構成について順次詳述する。
【０００９】
この実施例の調査業務は、調査員が債権者からの依頼の下に、債務者の居住地を訪問して居住状況などを調査し報告するものである。本発明の調査業務における個人情報漏洩防止システム１は、調査員が調査業務に際して入手する個人情報を調査の過程で漏洩してしまうことを防止するものであり、調査員が調査依頼を入手してから報告するまでをペーパーレス化すると共に、調査員が報告した時点で個人情報が調査員の手元から消失するよう構築された個人情報漏洩防止システムである。
【００１０】
調査業務における個人情報漏洩防止システム１は、図１に示すように、全国各地に在住する調査員がそれぞれ所持する調査員用携帯型端末２と、調査員用携帯型端末２とインターネットや専用回線等各種回線網で構成されたネットワーク３を介して通信可能に接続されたセンターサーバ４と、調査員用携帯型端末２のアプリケーションを起動不能とするための起動停止用携帯型端末５とを含んで構成されている。
【００１１】
調査員用携帯型端末２は、ネットワーク３との間で情報の入出力を行う入出力インターフェースと、情報の制御、記憶等を行うＣＰＵと、ＣＰＵに接続され種々の実行プログラムが格納された端末側データ処理部９と、端末側データ処理部９の実行プログラムにより実行され、センターサーバ４から送信される依頼データ（依頼リストデータおよび依頼詳細データ）を受信する依頼データ受信手段、入力した調査報告データ等をセンターサーバ４に送信するデータ送信手段、依頼データおよび調査報告データ消去手段、依頼データ表示手段（端末ディスプレイ）、依頼データ記憶手段（依頼リストデータ６，依頼詳細データ７）、依頼データに応じた調査報告データ等を調査員が手入力するデータ入力手段（端末入力部）、調査報告データ記憶手段（調査報告データ８）、調査員用携帯型端末２にインストールされているアプリケーションの起動を不能とするロック手段、およびデータ入力手段から入力されるパスワードを設定パスワードと対比するパスワード判定手段とを有している。
【００１２】
センターサーバ４は、ネットワーク３との間で情報の入出力を行う入出力インターフェースと、情報の制御、記憶等を行うＣＰＵと、ＣＰＵに接続され種々の実行プログラムが格納されたサーバ側データ処理部１２と、端末側データ処理部１２の実行プログラムにより実行され、調査員用携帯型端末２へ依頼データ等を送信するデータ送信手段、調査員用携帯型端末２から送信される調査報告データ等を受信するデータ受信手段、依頼データを読み込みまたは手入力する依頼データ入力手段、依頼データ記憶手段（依頼データＤＢ１０，調査報告ＤＢ１１）、依頼データ表示手段（サーバディスプレイ）、調査報告データ出力手段、および依頼データファイルおよび調査報告データファイル削除手段とを有している。
【００１３】
起動停止用携帯型端末５は、ネットワーク３との間で情報の入出力を行う入出力インターフェースと、情報の制御、記憶等を行うＣＰＵと、ＣＰＵに接続され種々の実行プログラムが格納されたデータ処理部と、データ処理部の実行プログラムにより実行され、センターサーバ４を介して調査員用携帯型端末２へ停止信号を送信する停止信号送信手段、表示手段（端末ディスプレイ）、停止信号を送信する調査員用携帯型端末２の番号を入力する番号入力手段（端末入力部）とを有している。
【００１４】
そして、上記構成を有する調査業務における個人情報漏洩防止システム１では、調査員用携帯型端末２を所持した調査員が調査およびその報告業務を遂行する中で、図２または図３のシステムフロー等に示した種々の処理が実行される。以下、処理内容を順次詳述する。
【００１５】
本発明の調査業務における個人情報漏洩防止システム１では、調査員は、調査員用携帯型端末２を使用するにあたって、まず、設定されたパスワードの入力が要求される（図２または図３中の処理Ｂ１）。
具体的には、調査員が端末ディスプレイ（図５）の起動ボタンを押すと、調査員用携帯型端末２はインスールされたアプリケーションの起動チェックを行う。そして、まず、時刻が２１：０１から０７：５９の間である場合は、図６に示す時間外表示となり、調査員が終了ボタンを押すとアプリケーションが終了する。他方、時刻が０８：００から２１：００の間である場合は、既にパスワードの入力ミス回数がｎ回（例えば４回）以上である時は、図９に示すロック画面が表示され、ロック手段がアプリケーションを起動不能とする。
【００１６】
入力ミス回数がｎ回未満である時は、図７に示すパスワード入力画面が表示される。そして、調査員が、データ入力手段より、パスワードを入力しログインボタンを押すと、パスワード判定手段がパスワードをチェックする。入力したパスワードが設定されたパスワードと一致すると、図１０に示すメニュー画面が表示され、センターサーバ４との送受信が可能となる。
【００１７】
このように、本発明の調査業務における個人情報漏洩防止システム１では、調査員毎に専用の調査員用携帯型端末２が配布されており、その調査員用携帯型端末２を当該調査員でない者が手にした場合でも、設定されたパスワードを入力しないかぎり、アプリケーションが起動不能となるため、調査員用携帯型端末２を使って個人情報を見ることができず、個人情報の漏洩が防止される。
【００１８】
一方、センターサーバ４には、予め、依頼者からの調査内容に応じた依頼データが、読み込みまたは手入力する依頼データ入力手段より入力されており、依頼データ記憶手段（依頼データＤＢ１０）内に、各依頼データファイル毎に格納されている（図２または図３中の処理Ｓ１）。
【００１９】
そして、調査員が自分に割り振られた調査内容を入手する場合には、図１０に示したメニュー画面の１依頼リスト要求を指定した後、決定ボタンを押す。この操作により、図１１に示すように、センターサーバ４に対して依頼リストデータのリクエスト送信がなされ、センターサーバ４がそれに応じて依頼リストデータを調査員用携帯型端末２に送信する。依頼リストデータが調査員用携帯型端末２に送信されると、図１３のダウンロード完了表示が調査員用携帯型端末２の表示画面に現れ、調査員用携帯型端末２が依頼リストデータの受信処理を行う。
【００２０】
依頼リスト要求を行った調査員に対して依頼案件がない場合は、データ無の表示が調査員用携帯型端末２の表示画面に現れる。他方、依頼リスト要求を行った調査員に対して依頼案件がある場合は、依頼リストが依頼リストデータ６内に保存されると共に、図１４に示したメニュー画面が表示される（図２または図３中の処理Ｂ２）。
【００２１】
なお、センターサーバ４が、前述した依頼リストデータのリクエスト送信を調査員用携帯型端末２から受信すると、図１２に示すように、依頼データＤＢ１０から、その調査員用携帯型端末２に送信する依頼データを検索し、依頼データがない場合は、エラー送信を行う。これを調査員用携帯型端末２が受信すると、前述したデータ無の表示が調査員用携帯型端末２の表示画面に現れる。他方、その調査員用携帯型端末２に対して依頼データがある場合は、依頼リストデータを調査員用携帯型端末２に送信する（図２または図３中の処理Ｓ２）。
【００２２】
そして、調査員が入手した依頼リストデータを、調査員用携帯型端末２の表示画面にて目視するためには、図１４に示したメニュー画面の２依頼リスト表示を指定して決定ボタンを押す。この操作により、調査員用携帯型端末２は表示画面に、図１５に示した依頼リストを表示する。この実施例の依頼リストには、調査案件が番号で表示されると共に、番号の左側に各調査案件の調査状況が表示される。例えば、調査が完了したものについてはフラッグの絵が表示され、依頼がキャンセルされたものについては×印が表示されるなどである（図２または図３中の処理Ｂ３）。
【００２３】
調査員が依頼リストに示された調査案件の詳細を入手するためには、図１５に示した依頼リスト画面の番号を指定する。この操作により、図１６に示すように、センターサーバ４に対して依頼詳細データのリクエスト送信がなされ、センターサーバ４がそれに応じて番号に対応した依頼詳細データを調査員用携帯型端末２に送信する。依頼詳細データが調査員用携帯型端末２に送信されると、調査員用携帯型端末２は依頼詳細の受信処理を行う。具体的には、調査案件が既に何らかの理由で依頼元からキャンセルされている場合は、調査員用携帯型端末２の表示画面がキャンセル表示となり、依頼リストデータ６の当該調査案件にキャンセルフラグを書き込まれる。また、何らかの理由で依頼詳細データのダウンロードに失敗した場合は、ダウンロード失敗表示画面が表示される。さらに、正常に受信された場合は、図１８に示した依頼詳細データ７が表示画面に表示される（図２または図３中の処理Ｂ４）。
【００２４】
他方、センターサーバ４側では、前述した依頼詳細データのリクエスト送信を調査員用携帯型端末２から受信すると、図１７に示すように、依頼データＤＢ１０から、そのリクエストに対応した依頼詳細データを検索する。そして、その調査案件が既に何らかの理由で依頼元からキャンセルされている場合は、キャンセルされている旨を調査員用携帯型端末２に送信する。既にその調査案件が調査完了している場合は、調査が完了している旨を調査員用携帯型端末２に送信する。中間報告を受けている状況の調査案件である場合は、調査報告ＤＢ１１からその時点の調査報告データを送信する。未調査である場合は、調査員用携帯型端末２へ依頼詳細データを送信する（図２または図３中の処理Ｓ４）。
【００２５】
調査員が、調査した内容を報告する場合は、図１８に示した依頼詳細データ７の表示画面にある報告書を押す。この操作により、調査員用携帯型端末２は、調査報告データ８から図１９に示したその調査案件の報告書のフォームを表示する。調査員は、データ入力手段を用いて調査事項を調査報告書のフォームに沿って手入力する（図２または図３中の処理Ｂ５）。
【００２６】
そして、センターサーバ４に対して調査報告を行う場合は、調査員は、図１９に示した報告書フォームの完了ボタン或いは中間ボタンのいずれかを押す。完了ボタンは、調査が完了した場合に調査員が押すボタンであり、中間ボタンは、調査途上である場合に中間報告をする場合に調査員が押すボタンである。
【００２７】
調査員が完了ボタンを押した場合は、調査員用携帯型端末２では、図２中の処理Ｂ６が実行される。すなわち、図２０に示すように、調査員用携帯型端末２が調査報告データ８をセンターサーバ４に送信し、センターサーバ４がその調査報告データを受信すると、センターサーバ４から送信結果が調査員用携帯型端末２へ送信される。この送信結果を調査員用携帯型端末２が受信し、送信エラーであると、送信エラーである旨、調査員用携帯型端末２の表示画面に表示される。他方、送信結果が正常である場合は、依頼リストデータの調査状態フラグが変更されると共に、依頼詳細データ７および調査報告データ８が調査員用携帯型端末２の記憶手段から消去される。なお、この実施例では、依頼データのうち、依頼詳細データのみが消去されるが、依頼リストデータも含めて消去されるものも本発明の範疇に包含される。
【００２８】
一方、センターサーバ４は、調査員用携帯型端末２から調査報告データ８が送信されてくると、図２１に示すように、調査報告ＤＢ１１に調査報告を格納し保存する。そして、受信した旨を調査員用携帯型端末２へ送信し、調査報告ＤＢ１１と依頼データＤＢ１０の調査状態フラグを変更する。
【００２９】
このように、本発明の調査業務における個人情報漏洩防止システムでは、調査依頼に対する調査報告データをセンターサーバが受信すると、調査員用携帯型端末内より依頼詳細データおよび調査報告データが消去されるため、個人情報が調査員用携帯型端末内に蓄積されることがない。また、調査員が調査依頼書や報告書などの調査関連資料を紙で所持する必要がなく、調査員用携帯型端末のみを所持して調査業務を遂行することができ、個人情報の漏洩を防止できる。
【００３０】
他方、調査員が中間ボタンを押した場合は、調査員用携帯型端末２では、図３中の処理Ｂ６が実行される。この場合の処理は、完了ボタンを押した場合とほぼ同様であるが、図３に示すように、センターサーバ４側の処理Ｓ４において、センターサーバ４が調査状態フラグを未実施から完了ではなく中間に変更し、この点のみ異なる。このように、本発明の調査業務における個人情報漏洩防止システム１では、調査員が中間報告をした場合にも、調査完了報告をした場合と同様に、調査員用携帯型端末２が依頼詳細データ７および調査報告データ８を調査員用携帯型端末２内より消去するため、依頼詳細データ７および調査報告データ８が調査員用携帯型端末２に残存する期間がより短くなり、個人情報が漏洩することをより防止できる。
【００３１】
また、調査員が調査員用携帯型端末２を紛失等した場合には、起動停止用携帯型端末５が停止信号を当該調査員用携帯型端末２に送信する。具体的には、図２２に示した起動停止用携帯型端末５の起動停止画面の対象電話番号に、起動停止を行う調査員用携帯型端末２の電話番号を入力して送信ボタンを押すと、当該調査員用携帯型端末２に停止信号が送信される。調査員用携帯型端末２は、センターサーバ４を介した起動停止用携帯型端末５からの停止信号を受信すると、ロック手段により調査員用携帯型端末を起動不能にすると共に、依頼詳細データ７および調査報告データ８を当該調査員用携帯型端末２内から消去する。これにより、調査員が調査員用携帯型端末２を紛失等した場合でも、速やかに個人情報の漏洩を防止できる。
なお、調査員用携帯型端末が自身にインストールされているアプリケーションを起動不能とする処理、または依頼詳細データ７および調査報告データ８を調査員用携帯型端末２内から消去する処理は、起動停止用携帯型端末５からの停止信号を受信した場合に限定されず、センターサーバ自身から送信された停止信号を受信した場合にも行うようにシステムを構築したものも本発明の範疇に包含される。
【図面の簡単な説明】
【００３２】
【図１】本発明の調査業務における個人情報漏洩防止システムの一実施例のシステム構成図である。
【図２】図１に示した調査業務における個人情報漏洩防止システムのシステムフローを示す説明図である。
【図３】図１に示した調査業務における個人情報漏洩防止システムの他の態様のシステムフローを示す説明図である。
【図４】図１に示した調査業務における個人情報漏洩防止システムにおいて、調査員用携帯型端末が行うパスワード照合処理のフローチャートである。
【図５】図１に示した調査業務における個人情報漏洩防止システムの調査員用携帯型端末の表示画面の一例を示す図である。
【図６】図１に示した調査業務における個人情報漏洩防止システムの調査員用携帯型端末の表示画面の一例を示す図である。
【図７】図１に示した調査業務における個人情報漏洩防止システムの調査員用携帯型端末の表示画面の一例を示す図である。
【図８】図１に示した調査業務における個人情報漏洩防止システムの調査員用携帯型端末の表示画面の一例を示す図である。
【図９】図１に示した調査業務における個人情報漏洩防止システムの調査員用携帯型端末の表示画面の一例を示す図である。
【図１０】図１に示した調査業務における個人情報漏洩防止システムの調査員用携帯型端末の表示画面の一例を示す図である。
【図１１】図１に示した調査業務における個人情報漏洩防止システムにおいて、調査員用携帯型端末が行う依頼リスト送信要求および受信処理のフローチャートである。
【図１２】図１に示した調査業務における個人情報漏洩防止システムにおいて、センターサーバが行う依頼リスト送信処理のフローチャートである。
【図１３】図１に示した調査業務における個人情報漏洩防止システムの調査員用携帯型端末の表示画面の一例を示す図である。
【図１４】図１に示した調査業務における個人情報漏洩防止システムの調査員用携帯型端末の表示画面の一例を示す図である。
【図１５】図１に示した調査業務における個人情報漏洩防止システムの調査員用携帯型端末の表示画面の一例を示す図である。
【図１６】図１に示した調査業務における個人情報漏洩防止システムにおいて、調査員用携帯型端末が行う依頼詳細データ送信要求および受信処理のフローチャートである。
【図１７】図１に示した調査業務における個人情報漏洩防止システムにおいて、センターサーバが行う依頼詳細データ送信処理のフローチャートである。
【図１８】図１に示した調査業務における個人情報漏洩防止システムの調査員用携帯型端末の表示画面の一例を示す図である。
【図１９】図１に示した調査業務における個人情報漏洩防止システムの調査員用携帯型端末の表示画面の一例を示す図である。
【図２０】図１に示した調査業務における個人情報漏洩防止システムにおいて、調査員用携帯型端末が行う調査報告データ送信処理のフローチャートである。
【図２１】図１に示した調査業務における個人情報漏洩防止システムにおいて、センターサーバが行う調査報告データ受信処理のフローチャートである。
【図２２】図１に示した調査業務における個人情報漏洩防止システムの起動停止用携帯型端末の表示画面の一例を示す図である。
【符号の説明】
【００３３】
１    調査業務における個人情報漏洩防止システム
２    調査員用携帯型端末
３    ネットワーク
４    センターサーバ
５    起動停止用携帯型端末
６    依頼リストデータ
７    依頼詳細データ
８    調査報告データ
９    端末側データ処理部
１０  依頼データＤＢ
１１  調査報告ＤＢ
１２  サーバ側データ処理部
【図１】
2007226491.tif 000003
【図２】
2007226491.tif 000004
【図３】
2007226491.tif 000005
【図４】
2007226491.tif 000006
【図５】
2007226491.tif 000007
【図６】
2007226491.tif 000008
【図７】
2007226491.tif 000009
【図８】
2007226491.tif 000010
【図９】
2007226491.tif 000011
【図１０】
2007226491.tif 000012
【図１１】
2007226491.tif 000013
【図１２】
2007226491.tif 000014
【図１３】
2007226491.tif 000015
【図１４】
2007226491.tif 000016
【図１５】
2007226491.tif 000017
【図１６】
2007226491.tif 000018
【図１７】
2007226491.tif 000019
【図１８】
2007226491.tif 000020
【図１９】
2007226491.tif 000021
【図２０】
2007226491.tif 000022
【図２１】
2007226491.tif 000023
【図２２】
2007226491.tif 000024